(57)【要約】【課題】画像形成装置の内部の昇温に伴う画像形成の不良の発生を低減すること。【解決手段】画像を記録する条件に応じて、予め設定された温度の上昇量を記憶する記憶手段（Ｃ７）と、画像を記録する条件の情報と温度の上昇量と記録部（Ｕ１）の内部の温度（Ｔ１）とに基づいて温度の上昇を予測する温度の予測手段（Ｃ８）と、予測された温度（Ｔ２）が上限温度（Ｔａ）よりも低い場合に、画像を記録する動作を実行すると共に、予測された温度（Ｔ２）が上限温度（Ｔａ）以上である場合、画像を記録する動作を待機する動作の制御手段（Ｃ１６）と、を備えた画像形成装置（Ｕ）。【選択図】図２
2014102329.tif 000002
【特許請求の範囲】
【請求項１】
媒体に画像を記録する記録部と、
前記記録部の内部を加熱する熱を発生させる熱源部材と、
画像を記録する条件の情報と、前記画像を記録する条件に応じて予め設定された温度の上昇量と、前記記録部の内部の温度と、に基づいて、画像を記録する動作に伴う温度の上昇を予測する温度の予測手段と、
予測された温度が予め設定された上限温度に到達する場合、前記画像を記録する動作を待機する動作の制御手段と、
を備えたことを特徴とする画像形成装置。
【請求項２】
前記画像を記録する条件として、印刷枚数、媒体の種類、片面印刷または両面印刷の少なくとも１つを含む
ことを特徴とする請求項１に記載の画像形成装置。
【請求項３】
画像の情報と前記画像を記録する条件の情報とを少なくとも含む印刷用の情報を記憶する情報の記憶手段と、
第１の前記印刷用の情報と、前記第１の印刷用の情報とは異なる第２の前記印刷用の情報と、が前記情報の記憶手段に記憶されている場合に、前記第１の印刷用の情報に含まれる画像を記録する条件に基づいて予測された温度が、前記上限温度以上である場合に、前記第１の印刷用の情報の画像を記録する動作を待機すると共に、前記第２の印刷用の情報に含まれる画像を記録する条件に基づいて予測された温度が、前記上限温度よりも低い場合に、前記第２の印刷用の情報の画像を記録する動作を実行する前記動作の制御手段と、
を備えたことを特徴とする請求項１または２に記載の画像形成装置。
【請求項４】
前記第１の印刷用の情報の画像を記録する動作を待機した回数を計数する計数手段と、
前記待機した回数が、予め設定された上限の回数を超えた場合に、前記第２の印刷用の情報の画像を記録する動作も待機させる前記動作の制御手段と、
を備えたことを特徴とする請求項３に記載の画像形成装置。
【発明の詳細な説明】
【技術分野】
【０００１】
本発明は、画像形成装置に関する。
【背景技術】
【０００２】
従来の画像形成装置において、印刷される画像の情報、いわゆる印刷ジョブの制御を行う技術として、以下の特許文献１、２記載の技術が従来公知である。
【０００３】
特許文献１としての特開２０１１−２５７７号公報には、トナーの消費量の増減が大きい場合に濃度が安定しないことを解決するために、印刷ジョブ解析部（１）が印刷ジョブを解析して、１枚毎の画像データを印刷する時のトナーの消費量を算出して、トナーの消費量が低い順または高い順に、印刷ジョブの印刷順序を入れ替えることで、消費量を少しずつ多くまたは少しずつ少なくなるようにする技術が記載されている。
【０００４】
特許文献２としての特開２００９−２８２４４７号公報には、Color/White比、すなわち、用紙面積に対する画像面積の比が低い画像が連続した場合に、現像器（４）内で長期に滞留するトナーが劣化することに対応する技術が記載されている。特許文献２記載の技術では、プリントに先立って、そのジョブ全体のＣＷ比を算出して、滞留トナー量が多い場合には、高ＣＷ比のジョブを優先的に実行し、滞留トナー量が少ない場合には、低ＣＷ比のジョブを優先的に実行するように、ジョブの順番を入れ替える。
【先行技術文献】
【特許文献】
【０００５】
【特許文献１】特開２０１１−２５７７号公報（「００２１」〜「００３５」）
【特許文献２】特開２００９−２８２４４７号公報（「００４２」〜「００４５」、「００５６」〜「００７２」）
【発明の概要】
【発明が解決しようとする課題】
【０００６】
本発明は、画像形成装置の内部の昇温に伴う画像形成の不良の発生を低減することを技術的課題とする。
【課題を解決するための手段】
【０００７】
前記技術的課題を解決するために、請求項１に記載の発明の画像形成装置は、
媒体に画像を記録する記録部と、
前記記録部の内部を加熱する熱を発生させる熱源部材と、
画像を記録する条件の情報と、前記画像を記録する条件に応じて予め設定された温度の上昇量と、前記記録部の内部の温度と、に基づいて、画像を記録する動作に伴う温度の上昇を予測する温度の予測手段と、
予測された温度が予め設定された上限温度に到達する場合、前記画像を記録する動作を待機する動作の制御手段と、
を備えたことを特徴とする。
【０００８】
請求項２に記載の発明は、請求項１に記載の画像形成装置において、
前記画像を記録する条件として、印刷枚数、媒体の種類、片面印刷または両面印刷の少なくとも１つを含む
ことを特徴とする。
【０００９】
請求項３に記載の発明は、請求項１または２に記載の画像形成装置において、
画像の情報と前記画像を記録する条件の情報とを少なくとも含む印刷用の情報を記憶する情報の記憶手段と、
第１の前記印刷用の情報と、前記第１の印刷用の情報とは異なる第２の前記印刷用の情報と、が前記情報の記憶手段に記憶されている場合に、前記第１の印刷用の情報に含まれる画像を記録する条件に基づいて予測された温度が、前記上限温度以上である場合に、前記第１の印刷用の情報の画像を記録する動作を待機すると共に、前記第２の印刷用の情報に含まれる画像を記録する条件に基づいて予測された温度が、前記上限温度よりも低い場合に、前記第２の印刷用の情報の画像を記録する動作を実行する前記動作の制御手段と、
を備えたことを特徴とする。
【００１０】
請求項４に記載の発明は、請求項３に記載の画像形成装置において、
前記第１の印刷用の情報の画像を記録する動作を待機した回数を計数する計数手段と、
前記待機した回数が、予め設定された上限の回数を超えた場合に、前記第２の印刷用の情報の画像を記録する動作も待機させる前記動作の制御手段と、
を備えたことを特徴とする。
【発明の効果】
【００１１】
請求項１に記載の発明によれば、本発明の構成を有しない場合に比べて、画像形成装置の内部の昇温に伴う画像形成の不良の発生を低減することができる。
請求項２に記載の発明によれば、温度情報に関連する情報に基づいて内部の昇温を予測できる。
請求項３に記載の発明によれば、予測された温度が上限温度よりも低い印刷用の情報を優先して、画像を記録することができる。
請求項４に記載の発明によれば、本発明の構成を有しない場合に比べて、待機し続けていつまでも画像が記録されないことが低減される。
【図面の簡単な説明】
【００１２】
【図１】図１は本発明の実施例１の画像形成装置の説明図である。
【図２】図２は本発明の実施例１の画像形成装置の制御部が備えている各機能をブロック図で示した図である。
【図３】図３は温度の推移の情報の一例の説明図であり、横軸に印刷枚数、縦軸に温度を取ったグラフである。
【図４】図４は実施例１のジョブの制御処理の説明図である。
【図５】図５は実施例１のジョブの情報の記憶手段に記憶されたジョブの情報の一例の説明図であり、図５Ａは５つのジョブが記憶された状態の説明図、図５Ｂは図５Ａに示す状態から１つジョブが実行された後の状態の説明図、図５Ｃは図５Ｂに示す状態から１つジョブが実行された後の状態の説明図である。
【発明を実施するための形態】
【００１３】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１４】
図１は本発明の実施例１の画像形成装置の説明図である。
図１において、実施例１の画像形成装置の一例としての複写機Ｕは、記録部の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵ０が支持されている。前記ユーザインタフェースＵ０は、操作者が入力をして、複写機Ｕの操作が可能である。
【００１５】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００１６】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの左方には、撮像部材の一例としての撮像素子ＣＣＤが配置されている。撮像素子ＣＣＤには、画像処理部ＧＳが電気的に接続されている。
画像処理部ＧＳは、プリンタ部Ｕ１の書込回路ＤＬに電気的に接続されている。書込回路ＤＬは、潜像の形成装置の一例としての露光装置ＲＯＳに電気的に接続されている。
【００１７】
露光装置ＲＯＳの下方には、像保持体の一例としての感光体ドラムＰＲが配置されている。感光体ドラムＰＲは、矢印Ｙａ方向に回転する。
感光体ドラムＰＲには、帯電領域Ｑ０において、帯電器の一例としての帯電ロールＣＲが対向して配置されている。
前記帯電ロールＣＲには、電源回路Ｅから帯電電圧が印加される。なお、電源回路Ｅは、制御部の一例としてのコントローラＣにより制御される。前記コントローラＣは、画像処理部ＧＳや書込回路ＤＬ等との間でも信号の送受信を行って、各種制御を行う。また、実施例１のコントローラＣには、複写機Ｕに対して情報の送受信用の接続線を介して、情報の送信装置の一例としてのパーソナルコンピュータＰＣが接続されている。コントローラＣは、パーソナルコンピュータＰＣから送信された印刷対象の画像情報を受信する。
【００１８】
感光体ドラムＰＲの回転方向に対して、帯電領域Ｑ０の下流側に設定された書込領域Ｑ１において、感光体ドラムＰＲの表面に、露光装置ＲＯＳから、書込光の一例としてのレーザービームＬが照射される。
感光体ドラムＰＲの回転方向に対して、書込領域Ｑ１の下流側に設定された現像領域Ｑ２には、現像装置Ｇが感光体ドラムＰＲの表面に対向して配置されている。
前記現像装置Ｇの左方には、現像剤の収容容器の一例としてのカートリッジＫが配置されている。カートリッジＫは、容器の支持部材の一例としてのカートリッジホルダＫＳに着脱可能に装着される。カートリッジホルダＫＳの下方には、現像剤の一時的な貯留部の一例としてのリザーブタンクＲＴが配置されている。リザーブタンクＲＴと現像装置Ｇとは、現像剤の搬送装置ＧＨで接続されている。
感光体ドラムＰＲの回転方向に対して、現像領域Ｑ２の下流側には、転写領域Ｑ３が設定されている。
【００１９】
複写機本体Ｕ１の下部には、媒体の収容容器の一例としての給紙トレイＴＲ１〜ＴＲ４が着脱可能に支持されている。給紙トレイＴＲ１〜ＴＲ４には、媒体の一例としてのシートＳが収容されている。
給紙トレイＴＲ１〜ＴＲ４の左上方には、媒体の取出部材の一例としてのピックアップロールＲｐが配置されている。ピックアップロールＲｐの左方には、捌き部材の一例としての捌きロールＲｓが配置されている。
各給紙トレイＴＲ１〜ＴＲ４の左方には、上方に延びる媒体の搬送路ＳＨ１が形成されている。搬送路ＳＨ１には、媒体の搬送部材の一例としての搬送ロールＲａが複数配置されている。搬送路ＳＨ１には、シートＳの搬送方向の下流部であり且つ転写領域Ｑ３の上流側に、送出部材の一例としてのレジロールＲｒが配置されている。
【００２０】
カートリッジホルダＫＳ等の左方には、媒体の収容容器の一例であって、手差し部としての手差しトレイＴＲｔが設置されている。実施例１の手差しトレイＴＲｔは、回転中心ＴＲｔ０を中心として回転可能に支持されている。したがって、手差しトレイＴＲｔは、図１の実線で示す収納された位置と、図１の一点鎖線で示された給紙可能な位置との間で移動可能に構成されている。なお、実施例１の手差しトレイＴＲｔは、収納された位置に移動した状態では、手差しトレイＴＲｔの一部ＴＲｔ１が、カートリッジホルダＫＳの下方且つリザーブタンクＲＴの左方に進入した状態で収容される。したがって、複写機Ｕの全体が省容量で小型化される。
【００２１】
前記転写領域Ｑ３には、感光体ドラムＰＲの下方に、転写装置の一例であって、媒体の搬送装置の一例としての転写ユニットＴＵが配置されている。転写ユニットＴＵは、媒体の搬送部材の一例として、無端状の転写ベルトＴＢを有する。
転写ベルトＴＢは、駆動部材の一例としての駆動ロールＲｄと、従動部材の一例としての従動ロールＲｆとにより回転可能に支持されている。
転写ベルトＴＢの内側には、転写器の一例としての転写ロールＴＲが支持されている。前記転写ロールＴＲは、転写ベルトＴＢを挟んで感光体ドラムＰＲに対向して配置されている。したがって、転写ロールＴＲと感光体ドラムＰＲとが対向する領域により、転写領域Ｑ３が構成されている。前記転写ロールＴＲには、電源回路Ｅから転写電圧が印加される。  
【００２２】
転写ベルトＴＢの右端部には、媒体の剥離部材の一例としての剥離爪ＳＣが配置されている。剥離爪ＳＣの下方には、転写装置の清掃器の一例としてのベルトクリーナＣＬｂが、転写ベルトＴＢの表面に対向して配置されている。
なお、感光体ドラムＰＲの回転方向に対して、転写領域Ｑ３の下流側には、像保持体の清掃器の一例としてのドラムクリーナＣＬｐが、感光体ドラムＰＲの表面に対向して配置されている。
【００２３】
転写ユニットＴＵの右方には、熱源部材の一例としての定着装置Ｆが配置されている。定着装置Ｆは、加熱用の回転部材の一例としての加熱ロールＦｈと、加圧用の回転部材の一例としての加圧ロールＦｐと、を有する。
定着装置Ｆの右方には、媒体の搬送路の一例として、上方に延びる排出路ＳＨ２が接続されている。
排出路ＳＨ２には、媒体の搬送部材の一例として、媒体を搬送可能且つ正逆回転可能な搬送ロールＲｂや排出ロールＲｈが配置されている。
プリンタ部Ｕ１の上面には、媒体の排出部の一例としての排紙トレイＲｈが形成されている。
【００２４】
排出路ＳＨ２の下方には、媒体の搬送路の一例としての反転路ＳＨ３が形成されている。実施例１の反転路ＳＨ３は、排出路ＳＨ２から分岐して下方に延び、レジロールＲｒよりもシートの搬送方向の上流側で搬送路ＳＨ１に合流している。
排出路ＳＨ２と反転路ＳＨ３との分岐部には、搬送方向の切替部材の一例としてのゲートＭＧが配置されている。実施例１のゲートＭＧは、弾性変形可能な薄膜形状、いわゆるフィルムにより構成されている。定着装置Ｆから搬送されるシートＳがゲートＭＧを通過する場合は、シートＳにゲートＭＧが押されて弾性変形して、シートＳが排出路ＳＨ２に通過可能となるように配置されている。そして、シートＳが排出路ＳＨ２から反転路ＳＨ３に搬送される場合、ゲートＭＧは、弾性復元した状態で保持され、シートＳが、定着装置Ｆの側に進入することを妨げ、反転路ＳＨ３の側にシートＳを案内するように配置されている。
【００２５】
（画像形成動作の説明）
前記原稿トレイＴＧ１に収容された複数の原稿Ｇｉは、プラテンガラスＰＧ上の原稿の読み取り位置を順次通過して、原稿排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
原稿Ｇｉからの反射光は、光学系Ａを通って、撮像素子ＣＣＤに集光される。前記撮像素子ＣＣＤは、撮像面上に集光された原稿の反射光を電気信号に変換する。
【００２６】
画像処理部ＧＳは、撮像素子ＣＣＤから入力された読取信号を、デジタルの画像信号に変換して、プリンタ部Ｕ１の書込回路ＤＬに出力する。前記書込回路ＤＬは、入力された画像書込信号に応じた制御信号を、露光装置ＲＯＳに出力する。
前記感光体ドラムＰＲの表面は、帯電領域Ｑ０において帯電ロールＣＲによりに帯電される。潜像書込位置Ｑ１において、露光装置ＲＯＳから出力されたレーザビームＬは、感光体ドラムＰＲの表面に静電潜像を形成する。現像領域Ｑ２において、現像装置Ｇは、現像領域Ｑ２を通過する感光体ドラムＰＲの静電潜像を、可視像の一例としてのトナー像Ｔｎに現像する。現像装置Ｇで現像剤が消費されると、消費量に応じて現像剤の搬送装置ＧＨが作動して、カートリッジＫから現像装置Ｇに現像剤が補給される。
【００２７】
前記各トレイＴＲ１〜ＴＲ４のシートＳは、予め設定された給紙時期にピックアップロールＲｐにより取り出される。ピックアップロールＲｐで取り出されたシートＳは、複数枚のシートＳが重なった状態で取り出された場合には、さばきロールＲｓで１枚づつ分離される。さばきロールＲｓを通過したシートＳは、複数の搬送ロールＲａにより、レジロールＲｒに搬送される。
手差しトレイＴＲｔから給紙されたシートＳも、搬送路ＳＨに合流して、レジロールＲｒに搬送される。
【００２８】
前記レジロールＲｒに搬送されたシートＳは、感光体ドラムＰＲの表面のトナー像が転写領域Ｑ３に移動する時期に合わせて、転写前の案内部材の一例としての転写前のシートガイドＳＧ１から転写領域Ｑ３に向けて搬送される。  
レジロールＲｒから搬送されたシートＳは、転写ベルトＴＢの表面に支持されて、転写領域Ｑ３を通過する。転写領域Ｑ３を通過するシートＳには、転写ロールＴＲに印加された転写電圧により、感光体ドラムＰＲ表面のトナー像Ｔｎが転写される。
転写領域Ｑ３を通過後の感光体ドラムＰＲ表面には、ドラムクリーナＣＬpにより残留トナーが除去されて清掃される。清掃後の感光体ドラムＰＲの表面は、帯電ロールＣＲにより再帯電される。
【００２９】
トナー像Ｔｎが転写されたシートＳは、剥離爪ＳＣにより、転写ベルトＴＢから剥離される。シートＳが剥離された転写ベルトＴＢは、ベルトクリーナＣＬｂにより、転写ベルトＴＢの表面に付着した現像剤や紙粉等の付着物が除去される。転写ベルトＴＢから剥離されたシートＳは、加熱ロールＦｈと加圧ロールＦｐとの接触領域を通過する際に、トナー像が加熱および加圧されて定着される。
トナー像が定着された記録シートＳは、ゲートＭＧを弾性変形させながら通過して、排出路ＳＨ２に搬送される。排紙トレイＴＲｈに排出されるシートＳは、搬送ロールＲｂにより搬送されて、排出ロールＲｈにより、排紙トレイＴＲｈに排出される。
【００３０】
両面印刷が行われる場合には、片面が記録済のシートＳの後端が、ゲートＭＧを通過するまで、搬送ロールＲｂや排出ロールＲｈにより下流側に搬送される。シートＳの後端がゲートＭＧを通過すると、搬送ロールＲｂや排出ロールＲｈが逆回転をして、排出路ＳＨ２から反転路ＳＨ３に向けて搬送される。すなわち、シートＳは、搬送方向が逆転して、いわゆるスイッチバックされる。スイッチバックされたシートＳは、ゲートＭＧに案内されて反転路ＳＨ３を搬送される。反転路ＳＨ３を搬送されたシートＳは、搬送路ＳＨ１に合流し、表裏が反転した状態で、レジロールＲｒに搬送される。そして、転写領域Ｑ３において、シートＳの第２面に画像が印刷される。
【００３１】
（実施例１の制御部の説明）
図２は本発明の実施例１の画像形成装置の制御部が備えている各機能をブロック図で示した図である。
図２において、実施例１の複写機ＵのコントローラＣは、計算機の一例としてのマイクロコンピュータにより構成されている。コントローラＣは、外部との信号の入出力、および、入出力信号レベルの調節等を行う入出力信号調節部の一例としての入出力インターフェース、いわゆる、Ｉ／Ｏを有する。また、コントローラＣは、記憶装置の一例として、処理を実行するためのプログラムやデータ等が記憶されたリードオンリーメモリ、いわゆるＲＯＭを有する。また、コントローラＣは、記憶装置の一例として、処理を実行するためのプログラムやデータ等が記憶されたハードディスクドライブを有する。また、コントローラＣは、記憶装置の一例として、必要な処理を実行するためのプログラムや必要なデータを一時的に記憶するためのランダムアクセスメモリ、いわゆる、ＲＡＭを有する。また、コントローラＣは、ＲＯＭやＨＤＤ、ＲＡＭに記憶されたプログラムに応じた処理を行う演算装置、いわゆる、ＣＰＵを有する。また、コントローラＣは、発信器の一例として、クロック発振器を有する。コントローラＣは、前記ＲＯＭ等に記憶されたプログラムを実行することにより種々の機能を実現することが可能である。
【００３２】
（コントローラＣに接続された信号出力要素）
前記コントローラＣは、ユーザインタフェースＵ０や温度センサＳＮ１等の信号出力要素からの出力信号が入力されている。
ユーザインタフェースＵ０は、電源の操作部材の一例としての電源ボタンＵ０ａや、表示部の一例であって、告知部材の一例としての表示パネルＵ０ｂ、入力部材の一例としての矢印キーＵ０ｃ等を備えている。
温度センサＳＮ１は、画像形成装置Ｕの内部の温度を検出する。
【００３３】
（コントローラＣに接続された被制御要素）
コントローラＣは、次の被制御要素Ｄ１，Ｅの制御信号を出力している。
Ｄ１：メインモータの駆動回路
主駆動源の駆動回路の一例としてのメインモータの駆動回路Ｄ１は、主駆動源の一例としてのメインモータＭ１を正逆回転駆動することにより、感光体ドラムＰＲ、定着装置Ｆの加熱ロールＦｈ、排出ロールＲｈ等を回転駆動する。
Ｅ：電源回路
前記電源回路Ｅは、現像装置Ｇや帯電ロールＣＲ、転写ロールＴＲ、加熱ロールＦｈに内蔵された加熱部材の一例としてのヒータ等に、電源を供給する。
【００３４】
（コントローラＣの機能）
コントローラＣは、信号入力要素の出力信号に応じて、各被制御要素の動作を制御するためのプログラムにより、次の機能実現手段を有している。
Ｃ１：電源の制御手段
電源の制御手段Ｃ１は、電源回路Ｅの作動を制御して、帯電ロールＣＲ等の各部材への電圧や電源供給を制御する。
Ｃ２：ジョブの情報の受信手段
画像の記録動作の情報の受信手段の一例としてのジョブの情報の受信手段Ｃ２は、スキャナ部Ｕ２やパーソナルコンピュータＰＣから送信された画像の記録動作の情報の一例としてのジョブの情報を受信する。
【００３５】
Ｃ３：ジョブの情報の記憶手段
画像の記録動作の情報の記憶手段の一例としてのジョブの情報の記憶手段Ｃ３は、ジョブの情報の受信手段Ｃ２が受信した情報を記憶する。実施例１のジョブの情報の記憶手段Ｃ３は、ジョブの情報として、画像の情報と、画像を記録する条件とを含む情報を記憶する。なお、実施例１の画像を記録する条件として、印刷枚数Ｐ１と、媒体の種類の一例としての用紙の大きさと、片面印刷または両面印刷の設定と、が記憶される。なお、ジョブの情報の記憶手段Ｃ３は、ジョブの情報の受信手段Ｃ２がスキャナ部Ｕ２やパーソナルコンピュータＰＣから相次いでジョブの情報を受信した場合には、受信した順にジョブの情報を記憶する。
【００３６】
Ｃ４：ジョブ順の計数手段
情報の順番の計数手段の一例としてのジョブ順の計数手段Ｃ４は、次に印刷を実行するか否かの判別を行う対象のジョブの順番Ｎａを計数する。
Ｃ５：印刷条件の取得手段
印刷条件の取得手段Ｃ５は、ジョブの情報の記憶手段Ｃ３に記憶されたジョブの情報に基づいて、画像を記録する条件を取得する。実施例１の画像を記録する条件は、画像を記録する条件の一例として、ジョブの印刷枚数と、使用される記録シートＳの種類と、片面印刷または両面印刷の設定情報と、を含む。
Ｃ６：温度の取得手段
温度の取得手段Ｃ６は、温度センサＳＮ１の出力に基づいて、複写機Ｕの内部の温度Ｔ１を取得する。
【００３７】
図３は温度の推移の情報の一例の説明図であり、横軸に印刷枚数、縦軸に温度を取ったグラフである。
Ｃ７：温度推移の情報の記憶手段
上昇量の記憶手段の一例としての温度推移の情報の記憶手段Ｃ７は、画像を記録する条件に応じて、予め設定された温度の上昇量を記憶する。実施例１の温度推移の情報の記憶手段Ｃ７は、温度の上昇量の一例として、図３に示す印刷枚数と温度との関係を示す温度の推移の情報を記憶する。実施例１の温度推移の情報の記憶手段Ｃ７は、図３に示すように、実験等で予め測定された温度の推移の情報を記憶する。図３において、実施例１の温度の推移の情報は、画像を記録する条件に対応する情報の一例として、普通紙且つ片面印刷の場合の温度推移のデータ１と、普通紙且つ両面印刷の場合の温度推移のデータ２と、厚紙且つ片面印刷の場合の温度推移のデータ３と、厚紙且つ両面印刷の場合の温度推移のデータ４と、を記憶している。
【００３８】
なお、実施例１の温度推移の情報の記憶手段Ｃ７では、各温度推移のデータ１〜４のそれぞれにおいて、温度上昇が収束する値である収束温度Ｔｓ１〜Ｔｓ４を記憶する。
図３において、一例として、普通紙・片面印刷の温度推移のデータ１における収束温度Ｔｓ１として３６［℃］が記憶されている。また、普通紙・両面印刷の温度推移のデータ２における収束温度Ｔｓ２として４７［℃］が記憶されている。さらに、厚紙・片面印刷の温度推移のデータ３における収束温度Ｔｓ３として４０．５［℃］が記憶されている。また、厚紙・両面印刷の温度推移のデータ４における収束温度Ｔｓ４として４９．５［℃］が記憶されている。
【００３９】
また、実施例１の温度推移の情報の記憶手段Ｃ７には、各温度推移のデータ１〜４において、後述する上限温度Ｔａ＝４５℃に到達する枚数である到達枚数Ｎｔ１〜Ｎｔ４が記憶されている。図３において、一例として、普通紙・片面印刷の温度推移のデータ１および厚紙・片面印刷の温度推移のデータ３では、収束温度Ｔｓ１，Ｔｓ３が上限温度Ｔａに到達しないため、到達枚数Ｎｔ１＝Ｎｔ３＝∞が記憶されている。また、普通紙・両面印刷の温度推移のデータ２における到達枚数Ｎｔ２として５０００［枚］が記憶されている。さらに、厚紙・両面印刷の温度推移のデータ４における到達枚数Ｎｔ４として３０００［枚］が記憶されている。
なお、各温度推移のデータ１〜４や収束温度Ｔｓ１〜Ｔｓ４、到達枚数Ｎｔ１〜Ｎｔ４として例示した数値は、上記に例示した数値に限定されず、装置の構成や仕様、設計変更等に応じて、任意に変更可能である。
【００４０】
Ｃ８：温度の予測手段
温度の予測手段Ｃ８は、到達温度の予測手段Ｃ８Ａと、到達後の残り枚数の演算手段Ｃ８Ｂと、を有する。温度の予測手段Ｃ８は、プリンタ部Ｕ１で記録シートＳに画像を記録する場合に、画像を記録する条件の情報と、温度推移のデータと、プリンタ部Ｕ１の内部の温度Ｔ１と、に基づいて、画像を記録する動作に伴う温度の上昇を予測する。実施例１の温度の予測手段Ｃ８は、印刷条件の取得手段Ｃ５が取得した画像を記録する条件の情報と、画像を記録する条件に対応する温度推移のデータ１〜４と、温度の取得手段Ｃ６が取得した内部の温度Ｔ１と、に基づいて、温度の上昇を予測する。
【００４１】
Ｃ８Ａ：到達温度の予測手段
到達温度の予測手段Ｃ８Ａは、ジョブが実行された場合に到達すると予測される到達温度Ｔ２を導出する。実施例１の到達温度の予測手段Ｃ８Ａは、まず、記録シートＳの種類と、片面印刷または両面印刷の設定に対応する温度推移データ１〜４を選択する。次に、選択された温度推移データ１〜４において、内部の温度Ｔ１に対応する印刷枚数Ｐ１を導出する。そして、内部の温度Ｔ１に対応する印刷枚数Ｐａと、ジョブの印刷枚数Ｐ１とに基づいて、温度推移データ１〜４における枚数Ｐａ＋Ｐ１の温度を、予測された到達温度Ｔ２として導出する。
なお、例えば、前回のジョブが厚紙・両面印刷で、今回のジョブが普通紙・片面印刷の場合のように、前回のジョブが終了した時点の内部の温度Ｔ１が高すぎて、今回のジョブの温度推移データ１〜４に対応する温度が存在しない場合、今回のジョブが実行されると、内部の温度Ｔ１は、収束温度Ｔｓ１〜Ｔｓ４に向かって低下していくものと予測される。したがって、実施例１では、内部の温度Ｔ１に対応する印刷枚数Ｐａを、収束温度Ｔｓ１〜Ｔｓ４に収束している枚数の一例として十分大きな仮の数値としてＰａ＝１００００枚にすると共に、収束温度Ｔｓ１〜Ｔｓ４を到達温度Ｔ２として導出する。
【００４２】
Ｃ８Ｂ：到達後の残り枚数の演算手段
到達後の残り枚数の演算手段Ｃ８Ｂは、到達温度Ｔ２が収束温度Ｔｓ１〜Ｔｓ４である場合に、収束温度Ｔｓ１〜Ｔｓ４に到達した後に、画像が印刷される枚数である残り枚数Ｎ２を導出する。実施例１の到達後の残り枚数の演算手段Ｃ８Ｂは、枚数Ｐａ＋Ｐ１から到達枚数Ｎｔ１〜Ｎｔ４を減算した値を、残り枚数Ｎ２として導出する。なお、枚数Ｐａ＋Ｐ１から、到達枚数Ｎｔ１〜Ｎｔ４を減算した値が、マイナスになる場合、Ｎ２＝０とする。
Ｃ９：上限温度の記憶手段
上限温度の記憶手段Ｃ９は、ジョブを実行せずに待機するか否かを判別するための温度である上限温度Ｔａを記憶する。実施例１の上限温度Ｔａは、現像剤の流動性の低下や感光体ドラムＰＲの帯電量の変化等に伴う悪影響が発生しない温度に基づいて、予め設定されている。一例として、実施例１では、上限温度Ｔａ＝４５［℃］に設定されている。
【００４３】
Ｃ１０：上限温度の判別手段
温度の判別手段の一例としての上限温度の判別手段Ｃ１０は、予測された到達温度Ｔ２が上限温度Ｔａに到達するか否かを判別する。実施例１の上限温度の判別手段Ｃ１０は、予測された到達温度Ｔ２が上限温度Ｔａ以上である場合に、上限温度Ｔａに到達すると判別する。なお、上限温度Ｔａ以上になる場合に、上限温度Ｔａに到達すると判別する構成に限定されない。上限温度Ｔａを超える場合に、上限温度Ｔａに到達すると判別する構成とすることも可能である。同様に、本願実施例における各種判別において、「以上」、「以下」、「超える」、「未満」の判別については、実施例に例示した判別に限定されず、設計や仕様等に応じて、任意に変更可能である。
【００４４】
Ｃ１１：許容枚数の記憶手段
許容枚数の記憶手段Ｃ１１は、予測された上限温度Ｔａ以上の温度で印刷が実行されても許容される印刷枚数である許容枚数Ｎｋ１を記憶する。実施例１では、許容枚数Ｎｋ１は、実験等で予め設定されている。一例として、実施例１の許容枚数Ｎｋ１＝２０［枚］に設定されている。
Ｃ１２：許容枚数の判別手段
許容枚数の判別手段Ｃ１２は、残り枚数Ｎ２が許容枚数Ｎｋ１以上であるか否かを判別する。
【００４５】
Ｃ１３：待機回数の計数手段
計数手段の一例としての待機回数の計数手段Ｃ１３は、ジョブを実行せずに待機した回数である待機回数Ｎｂを計数する。実施例１の待機回数の計数手段Ｃ１３は、ジョブの情報の記憶手段Ｃ３に記憶されたジョブ毎に、待機回数Ｎｂを計数する。
Ｃ１４：上限回数の記憶手段
上限回数の記憶手段Ｃ１４は、ジョブを待機する上限の回数である上限回数Ｎｊ１を記憶する。実施例１の上限回数Ｎｊ１は、一例として、Ｎｊ１＝５［回］に設定されている。
Ｃ１５：上限回数の判別手段
上限回数の判別手段Ｃ１５は、待機回数Ｎｂが上限回数Ｎｊ１以上になったか否かを判別する。
【００４６】
Ｃ１６：ジョブの制御手段
画像形成の動作の制御手段の一例としてのジョブの制御手段Ｃ１６は、実行するジョブの判別手段Ｃ１６Ａと、ジョブの中断手段Ｃ１６Ｂと、再開温度の記憶手段Ｃ１６Ｃと、再開温度の判別手段Ｃ１６Ｄと、ジョブの再開手段Ｃ１６Ｅと、を有する。ジョブの制御手段Ｃ１６は、予測された到達温度Ｔ２が上限温度Ｔａよりも低い場合に、ジョブを実行すると共に、予測された到達温度Ｔ２が上限温度Ｔａ以上である場合、ジョブを待機する。ジョブの制御手段Ｃ１６は、ジョブを実行する場合には、スキャナ部Ｕ２やパーソナルコンピュータＰＣから送信された画像情報に応じて、帯電ロールＣＲ、転写ロールＴＲ、定着装置Ｆ等の動作を制御する。
【００４７】
なお、実施例１のジョブの制御手段Ｃ１６は、予測された到達温度Ｔ２が上限温度Ｔａ以上であっても、残り枚数Ｎ２が許容枚数Ｎｋ１未満の場合には、ジョブを待機せずに実行する。
また、実施例１のジョブの制御手段Ｃ１６は、複数のジョブがジョブの情報の記憶手段Ｃ３に記憶されている場合に、受信した時期が古いジョブの到達温度Ｔ２が上限温度Ｔａ以上であり、且つ、受信した時期が新しいジョブの到達温度Ｔ２が上限温度Ｔａ未満の場合には、新しいジョブの印刷動作を先に実行する。
【００４８】
Ｃ１６Ａ：実行するジョブの判別手段
実行するジョブの判別手段Ｃ１６Ａは、次に実行するジョブの判別を行う。実施例１の実行するジョブの判別手段Ｃ１６Ａは、ジョブが、上限温度の判別手段Ｃ１０において到達温度Ｔ２が上限温度Ｔａ未満であると判別された場合に、該当のジョブを実行するジョブとして判別する。また、実施例１のジョブの判別手段Ｃ１６Ａは、ジョブが、上限温度の判別手段Ｃ１０において到達温度Ｔ２が上限温度Ｔａ以上であると判別された場合でも、許容枚数の判別手段Ｃ１２において残り枚数Ｎ２が許容枚数Ｎｋ１未満であると判別された場合には、該当のジョブを実行するジョブとして判別する。
【００４９】
Ｃ１６Ｂ：ジョブの中断手段
ジョブの中断手段Ｃ１６Ｂは、印刷動作を実行せずに、動作を中断するか否かを判別する。実施例１のジョブの中断手段Ｃ１６Ｂは、ジョブの情報の記憶手段Ｃ３に記憶された全てのジョブが、実行するジョブの判別手段Ｃ１６Ａで実行するジョブと判別されなかった場合に、ジョブを中断すると判別する。また、実施例１のジョブの中断手段Ｃ１６Ｂは、上限回数の判別手段Ｃ１５において、待機回数Ｎｂが上限回数Ｎｊ１以上になったと判別された場合にも、他のジョブも含めて全てのジョブを中断すると判別する。なお、実施例１のジョブの中断手段Ｃ１６Ｂがジョブを中断すると判別した場合に、ジョブの制御手段Ｃ１６は、図示しない冷却用の部材の一例としての冷却ファンを作動させる冷却動作を実行する。したがって、冷却動作が実行されると、複写機Ｕから排熱されて、複写機の内部が冷却される。
【００５０】
Ｃ１６Ｃ：再開温度の記憶手段
再開温度の記憶手段Ｃ１６Ｃは、複写機Ｕの冷却を終了してジョブを再開する温度である再開温度Ｔｂを記憶する。実施例１では、再開温度Ｔｂの一例として、Ｔｂ＝２７［℃］を記憶している。
Ｃ１６Ｄ：再開温度の判別手段
再開温度の判別手段Ｃ１６Ｄは、内部の温度Ｔ１が、再開温度Ｔｂ以下になったか否かを判別する。
Ｃ１６Ｅ：ジョブの再開手段
ジョブの再開手段Ｃ１６Ｅは、ジョブの中断手段Ｃ１６Ｂが中断したジョブを再開するか否かを判別する。実施例１のジョブの再開手段Ｃ１６Ｅは、内部の温度Ｔ１が再開温度Ｔｂ以下であると判別された場合に、ジョブを再開すると判別する。
【００５１】
（ジョブの制御処理の流れ図の説明）
図４は実施例１のジョブの制御処理の説明図である。
図４の流れ図、いわゆる、フローチャートの各ステップＳＴの処理は、複写機ＵのコントローラＣに記憶されたプログラムに従って行われる。また、この処理は複写機Ｕの他の各種処理と並行して実行される。
図４に示すフローチャートは複写機Ｕの電源投入により開始される。
図４のＳＴ１において、ジョブの情報の記憶手段Ｃ３に記憶されているジョブの情報が存在するか否かを判別する。イエス（Ｙ）の場合はＳＴ２に進み、ノー（Ｎ）の場合はＳＴ１を繰り返す。
【００５２】
ＳＴ２において、現在の複写機Ｕの内部の温度Ｔ１を取得する。そして、ＳＴ３に進む。
ＳＴ３において、ジョブ順Ｎａ＝１を設定する。そして、ＳＴ４に進む。
ＳＴ４において、ジョブの情報の記憶手段Ｃ３に記憶されたジョブの中で、ジョブ順Ｎａのジョブの条件、すなわち、印刷枚数Ｐ１、使用されるシートの種類、両面印刷の設定を取得する。そして、ＳＴ５に進む。
ＳＴ５において、ジョブの条件に応じた温度推移のデータ１〜４から、予測された到達温度Ｔ２と残り枚数Ｎ２を演算する。そして、ＳＴ６に進む。
【００５３】
ＳＴ６において、予測された到達温度Ｔ２は、上限温度Ｔａ以上であるか否かを判別する。イエス（Ｙ）の場合はＳＴ７に進む。ノー（Ｎ）の場合はＳＴ８に進む。
ＳＴ７において、残り枚数Ｎ２が許容枚数Ｎｋ１以上であるか否かを判別する。ノー（Ｎ）の場合はＳＴ８に進む。イエス（Ｙ）の場合はＳＴ１２に進む。
ＳＴ８において、ジョブ順Ｎａのジョブを実行する。そして、ＳＴ９に進む。
ＳＴ９において、ジョブが終了したか否かを判別する。イエス（Ｙ）の場合はＳＴ１０に進む。ノー（Ｎ）の場合はＳＴ９を繰り返す。
ＳＴ１０において、ジョブ順Ｎａのジョブのデータを、ジョブの情報の記憶手段Ｃ３から削除する。そして、ＳＴ１１に進む。
ＳＴ１１において、ジョブの情報の記憶手段Ｃ３に記憶されているジョブの情報がある場合に、ジョブ順（Ｎａ＋１）以降のジョブ順を１繰り上げる。そして、ＳＴ１に戻る。
【００５４】
ＳＴ１２において、ジョブ順Ｎａのジョブの待機回数Ｎｂを１加算する。すなわち、Ｎｂ＝Ｎｂ＋１とする。そして、ＳＴ１３に進む。
ＳＴ１３において、待機回数Ｎｂが上限回数Ｎｊ１以上であるか否かを判別する。ノー（Ｎ）の場合はＳＴ１４に進む。イエス（Ｙ）の場合はＳＴ１６に進む。
ＳＴ１４において、ジョブ順Ｎａを１加算する。すなわち、Ｎａ＝Ｎａ＋１とする。そして、ＳＴ１５に進む。
ＳＴ１５において、ジョブの情報の記憶手段Ｃ３に記憶されたジョブ順Ｎａのジョブが存在するか否かを判別する。イエス（Ｙ）の場合はＳＴ４に戻る。ノー（Ｎ）の場合はＳＴ１６に進む。
【００５５】
ＳＴ１６において、次の処理（１）、（２）を実行する。そして、ＳＴ１７に進む。
（１）ジョブを中断する。
（２）冷却動作を開始する。
ＳＴ１７において、内部の温度Ｔ１が再開温度Ｔｂ以下になったか否かを判別する。イエス（Ｙ）の場合はＳＴ１８に進む。ノー（Ｎ）の場合はＳＴ１７を繰り返す。
ＳＴ１８において、冷却動作を終了させる。そして、ＳＴ３に戻る。
【００５６】
（ジョブの制御処理の作用の説明）
図５は実施例１のジョブの情報の記憶手段に記憶されたジョブの情報の一例の説明図であり、図５Ａは５つのジョブが記憶された状態の説明図、図５Ｂは図５Ａに示す状態から１つジョブが実行された後の状態の説明図、図５Ｃは図５Ｂに示す状態から１つジョブが実行された後の状態の説明図である。
前記構成を備えた実施例１の複写機Ｕでは、スキャナ部Ｕ２で読み取られた画像やパーソナルコンピュータＰＣから送信された画像の情報は、図５に示すように、ジョブの情報の記憶手段Ｃ３に順に記憶される。
【００５７】
図５Ａにおいて、一例として、内部の温度Ｔ１が４０．５℃である場合、ジョブ順Ｎａが１の普通紙・両面印刷・５０００枚のジョブについては、温度推移データ２に基づいて、到達温度Ｔ２が予測される。図３の温度推移データ２に基づくと、内部の温度Ｔ１に対応する印刷枚数Ｐａが２５００枚となり、Ｐａ＋Ｐ１＝７５００枚となる。このときの到達温度Ｔ２は、温度推移データ２から、４７℃となる。このとき、到達温度は収束温度Ｔｓ２と一致している。温度推移データ２の到達枚数Ｎｔ２が５０００枚であることから、残り枚数Ｎ２＝Ｐａ＋Ｐ１−Ｎｔ２＝２５００枚となる。したがって、許容枚数Ｎｋ１を超えている。したがって、ジョブ順Ｎａ＝１のジョブは実行されず、待機となる。そして、図５Ａ、図５Ｂに示すように、待機回数Ｎｂが１加算される。
【００５８】
次に、ジョブ順Ｎａ＝２の厚紙・両面・３０００枚のジョブについては、ジョブ順Ｎａ＝１と同様にして、温度推移データ４に基づいて、Ｐａ＝２０００枚、Ｐａ＋Ｐ１＝５０００枚、到達温度Ｔ２＝４８℃が算出される。また、残り枚数Ｎ２＝２０００枚が、許容枚数Ｎｋ１を超えている。したがって、ジョブ順Ｎａ＝２のジョブも実行されず、待機となる。また、待機回数Ｎｂに１加算される。
次に、ジョブ順Ｎａ＝３の普通紙・片面・１０００枚のジョブについては、温度推移データ１に基づいて、Ｐａ＝１００００枚、Ｐａ＋Ｐ１＝１１０００枚、到達温度Ｔ２＝３６℃が算出される。したがって、到達温度Ｔ２が、上限温度Ｔａよりも低い。よって、ジョブ順Ｎａ＝３のジョブが、ジョブ順１，２のジョブよりも先に実行される。ジョブが開始されると、プリンタ部Ｕ１は、ジョブの情報の記憶手段Ｃ３に記憶されたジョブの情報に応じて、記録シートＳに画像の印刷を行う。
【００５９】
図５Ｂにおいて、図５Ａにおけるジョブ順３のジョブが終了した時点での内部の温度Ｔ１が３８℃である場合、ジョブ順Ｎａ＝１のジョブについて、到達温度Ｔ２の予測が行われる。このとき、Ｐａ＝２２００枚、Ｐａ＋Ｐ１＝７２００枚、到達温度４７℃が算出される。また、残り枚数Ｎ２＝２２００枚が、許容枚数Ｎｋ１を超えている。したがって、ジョブ順Ｎａ＝１のジョブは、待機となる。よって、図５Ｂ、図５Ｃに示すように、待機回数Ｎｂに１加算される。
次に、ジョブ順Ｎａ＝２のジョブについて、Ｐａ＝１７００枚、Ｐａ＋Ｐ１＝４７００枚、到達温度Ｔ２＝４８℃、残り枚数Ｎ２＝１７００枚が算出される。したがって、ジョブ順２のジョブも待機となる。
次に、ジョブ順Ｎａ＝３の普通紙・片面・５０００枚のジョブについては、温度推移データ１に基づいて、Ｐａ＝１００００枚、Ｐａ＋Ｐ１＝１５０００枚、到達温度Ｔ２＝３６℃が算出される。したがって、ジョブ順Ｎａ＝３のジョブが実行される。
【００６０】
図５Ｃにおいて、図５Ｂにおけるジョブ順３のジョブが終了した時点での内部の温度Ｔ１が３７℃である場合、ジョブ順Ｎａ＝１のジョブについて、到達温度Ｔ２の予測が行われる。このとき、Ｐａ＝２１００枚、Ｐａ＋Ｐ１＝７１００枚、到達温度４６℃が算出される。また、残り枚数Ｎ２＝２１００枚が、許容枚数Ｎｋ１を超えている。したがって、ジョブ順Ｎａ＝１のジョブは、待機となる。ここで、ジョブ順Ｎａ＝１のジョブの待機回数Ｎｂが、上限回数Ｎｊ１以上となっている。したがって、他のジョブも全て待機となって、冷却動作が開始される。そして、冷却終了後、ジョブ順Ｎａ＝１のジョブが実行される。
【００６１】
複写機Ｕにおいて、画像形成時には、熱源部材の一例としての定着装置Ｆにおける発熱や感光体ドラムＰＲ等の駆動部材の駆動に伴う発熱で、内部の温度Ｔ１が上昇する。また、記録シートＳは、定着装置Ｆを通過する際に熱を受ける。したがって、定着装置Ｆを通過した記録シートＳが搬送路ＳＨ２，ＳＨ３を搬送される際に、搬送路ＳＨ２，ＳＨ３に熱が伝わって、内部の温度Ｔ１が上昇する。
特に、両面印刷が行われる場合には、一度定着装置Ｆを通過する際に記録シートＳが熱を持ち、熱を持った記録シートＳが反転路ＳＨ３や転写領域Ｑ３を通過する。給紙トレイＴＲ１〜ＴＲ４から給紙された記録シートＳは、加熱されておらず、複写機Ｕの内部の熱を奪いやすく、温度Ｔ１を低下させやすい。これに対して、一度定着装置Ｆを通過した記録シートＳは、高温のまま複写機Ｕの内部を通過する。したがって、片面印刷時に比べて、両面印刷時には、内部の温度Ｔ１が上昇しやすい。
【００６２】
また、普通紙に比べて、厚紙は、熱容量が大きく、定着装置Ｆを通過する際に定着装置Ｆから奪う熱量が多くなりやすい。したがって、普通紙に比べて厚紙の方が、多くの熱を持った状態で搬送されやすい。よって、普通紙に比べて厚紙が使用される場合の方が、内部の温度Ｔ１が上昇しやすい。
さらに、印刷枚数が多い方が、印刷枚数が少ない場合に比べて、複写機Ｕに伝わる熱が多くなり、内部の温度Ｔ１が上昇しやすくなる。
【００６３】
複写機Ｕの内部の温度Ｔ１が上昇すると、現像剤の流動性が悪化して、現像剤の凝集、固着や現像不良等が発生する恐れがある。特に、実施例１の複写機Ｕのように、転写領域Ｑ３において、感光体ドラムＰＲに記録シートＳが接触する構成では、感光体ドラムＰＲの温度も上昇しやすい。感光体ドラムＰＲの温度が上昇すると、感光体ドラムＰＲの電気的な特性や摩擦抵抗等が変動する恐れがある。したがって、感光体ドラムＰＲの帯電特性や転写特性が変動したり、ドラムクリーナＣＬｐでの清掃特性が変動して、画質が低下したり、寿命が短くなったりする問題がある。そして、画像の濃度に応じてジョブを制御する特許文献１，２記載の技術では、内部の温度Ｔ１が高温になりすぎてしまうことに対応できない。
【００６４】
これに対して、実施例１の複写機Ｕでは、内部の温度Ｔ１が上限温度Ｔａを超える状態で印刷が行われることが低減されている。すなわち、ジョブの条件に基づいて予測されたジョブの終了時の到達温度Ｔ２が上限温度Ｔａ以下の場合に、ジョブが実行される。したがって、現像剤の流動性の低下や感光体ドラムＰＲの昇温に伴う問題が発生しにくくなっている。
なお、実施例１では、記録シートＳの厚さが厚い場合や印刷枚数が多い場合、両面印刷の場合に、厚さが薄い場合や印刷枚数が少ない場合、片面印刷の場合に比べて、内部の温度Ｔ１が上昇しやすいことに応じた制御を行ったが、これに限定されない。例えば、記録シートＳの大きさが大きい方が、大きさが小さい場合に比べて、多くの熱を持ちやすい。したがって、記録シートＳのサイズが大きい方が、内部の温度Ｔ１を上昇させやすい。したがって、記録シートＳのサイズに応じて制御を行うことも可能である。
【００６５】
また、上限温度Ｔａを超えることが予測されても、上限温度Ｔａを超えて印刷される枚数が許容枚数Ｎｋ１以下であれば、ジョブが実行される。すなわち、内部の温度Ｔ１が上限温度Ｔａを超える時期が短期で一時的のような場合には、現像剤の流動性の低下や感光体ドラムＰＲの昇温も限定的で、画像形成に対する悪影響も少ない。したがって、この場合には、ジョブが実行される。したがって、許容枚数Ｎｋ１以下でもジョブを実行しない場合に比べて、ジョブが実行されない期間が短くなることが期待され、全体としての生産性の向上が期待される。
【００６６】
また、実施例１の複写機Ｕでは、複数のジョブが記憶されている場合に、時期的に古いジョブの到達温度Ｔ２が上限温度Ｔａを超えて実行されない場合に、時期的に新しいジョブの到達温度Ｔ２が上限温度Ｔａを超えない場合には、図５に示すように、時期的に新しいジョブが優先して実行される。したがって、複数のジョブが存在する場合において実行可能なジョブが存在すれば、実行可能なジョブから実行していく。したがって、実行可能なジョブがあっても実行しない場合に比べて、ジョブが中断している期間が短くなり、全体として複写機Ｕの生産性が向上する。
なお、時期的に新しいジョブを優先しすぎると古いジョブがいつまでも実行されない恐れがある。これに対して、実施例１の複写機Ｕでは、時期的に古いジョブが待機されて、時期的に新しいジョブが先に実行された場合、いわば、古いジョブが飛ばされた回数である待機回数Ｎｂが、上限回数Ｎｊ１以上になると、冷却動作が行われて、古いジョブが実行される。したがって、古いジョブがいつまでも実行されないことが抑制されている。なお、ジョブが１つしか存在しない場合に、該当ジョブの到達温度Ｔ２が上限温度Ｔａを超える場合でも、冷却動作が行われる。
【００６７】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ011）を下記に例示する。
（Ｈ01）前記各実施例において、画像形成装置の一例として複写機Ｕを例示したが、これに限定されない。例えば、画像形成装置の一例としてのプリンタ、ＦＡＸ、あるいはこれら複数の機能を備えた複合機等に適用可能である。また、単色の画像形成装置に限定されず、多色の画像形成装置にも適用可能である。
【００６８】
（Ｈ02）前記実施例において、温度の上昇量の情報の一例として、グラフにより構成された温度推移のデータ１〜４を使用する構成を例示したがこれに限定されない。例えば、グラフを数式化したものや、例えば、１００枚毎の温度や温度差を記憶する等、枚数に応じて温度の上昇量を導出可能な任意の方法で情報を記憶することが可能である。
（Ｈ03）前記実施例において、温度推移のデータ１〜４として、厚紙、普通紙と、片面、両面印刷との組み合わせの場合を例示したが、これに限定されない。例えば、媒体の種類として、薄紙やコート紙、ＯＨＰシート等についても温度推移のデータを予め記憶しておくことも可能である。他にも、媒体の大きさに応じた温度推移のデータを準備することも可能である。例えば、「Ａ３・両面」、「Ａ４ＬＥＦ・両面」、「Ａ４ＳＥＦ・両面」、「Ａ３・片面」、「Ａ４ＬＥＦ・片面」、「Ａ４ＳＥＦ・片面」等といった温度推移のデータを予め記憶しておくことも可能である。なお、サイズが大きな媒体の方が温度を上昇させやすく、同じ大きさの媒体でもＬＥＦ：長辺送りの方が、ＳＥＦ：短辺送りに比べて、単位時間当たりに媒体が通過する面積量が大きいため、温度が上昇しやすい。したがって、ＬＥＦとＳＥＦで、別の温度推移のデータを準備した方が好ましい。
【００６９】
（Ｈ04）前記実施例において、例示した具体的な数値は、設計や仕様等に応じて任意に変更可能である。例えば、温度の推移データ１〜４の０［枚］の時点の温度が３０℃の場合を例示したが、これに限定されず、使用される環境や定着装置Ｆの設定温度、温度センサの設置位置等に応じて任意に変更可能である。
（Ｈ05）前記実施例において、排紙トレイＴＲｈに媒体を排出する構成、いわゆる胴内排出型の複写機Ｕを例示したが、これに限定されない。例えば、後処理を行ったり、複数の排出部に仕分けをして排出したりする後処理装置を接続した構成にも適用可能である。この場合、例えば、古いジョブを待機させて新しいジョブを先に行った場合に、新しいジョブが優先して行われて古いジョブが残っていることを利用者にわかりやすくするために、排出部を変更する等の制御を行うことも可能である。
【００７０】
（Ｈ06）前記実施例において、ジョブを中断して冷却動作を行う構成を例示したが、これに限定されない。すなわち、自然冷却を行う構成とすることも可能である。また、冷却動作時に、２７℃まで冷却する構成を例示したが、これに限定されない。例えば、ジョブの条件に基づいて、到達温度Ｔ２が上限温度Ｔａ以下になるには、何度まで冷却すればよいのか逆算して、その温度まで冷却した段階で、冷却動作を終了する構成とすることも可能である。
（Ｈ07）前記実施例において、複数のジョブが存在する場合に、古いジョブの到達温度Ｔ２が上限温度Ｔａを超え、新しいジョブの到達温度Ｔ２が上限温度Ｔａを超えない場合に、新しいジョブを優先して実行する構成とすることが望ましいが、これに限定されない。古いジョブを飛ばさずに、順番に実行する構成とすることも可能である。他にも、ジョブ単位で印刷動作を実行したが、これに限定されず、ジョブのページ単位で分割して行うことも可能である。例えば、５０００枚（５０００ページ）分のジョブがあった場合に、２０００枚で上限温度Ｔａに到達する場合に、２０００枚分だけジョブを実行することも可能である。このとき、２０００枚分だけ古いジョブを実行後に、例えば、「普通紙・片面印刷」のような温度が低下しやすいジョブが存在する場合には温度の低下しやすいジョブを実行し、温度が低下しやすいジョブの終了後に、古いジョブの残りの３０００枚分のジョブを実行するといった構成も可能である。
【００７１】
（Ｈ08）前記実施例において、冷却動作の終了後に、階調補正や濃度補正等の調整を行うことも可能である。
（Ｈ09）前記実施例において、到達温度Ｔ２が上限温度Ｔａを超えても、許容枚数Ｎｋ１以下の場合には画像形成を実行する構成とすることが望ましいが、これに限定されない。すなわち、許容枚数Ｎｋ１を使用しない構成とすることも可能である。
（Ｈ010）前記実施例において、待機回数Ｎｂが上限回数Ｎｊ１以上になった場合に、待機したジョブを実行するために、動作を中断することが望ましいが、これに限定されない。例えば、受信するジョブの数が予め決まっており、増えない場合には、全体の生産性を優先して、受信順が古いジョブが最後に実行されることになっても、実行可能なジョブを優先して実行する構成とすることも可能である。
【００７２】
（Ｈ011）前記実施例において、内部の温度Ｔ１が収束温度Ｔｓ１〜Ｔｓ４よりも高い場合に、収束温度Ｔｓ１〜Ｔｓ４を到達温度Ｔ２とみなす処理を行う構成を例示したが、これに限定されない。例えば、各温度推移のデータ１〜４毎に、温度の低減率を記憶しておき、低減率と、内部の温度Ｔ１と、収束温度Ｔｓ１〜Ｔｓ４との間の温度差、印刷枚数等に基づいて、実施例の場合に比べて、精度の高い到達温度Ｔ２を演算する構成とすることも可能である。
【符号の説明】
【００７３】
Ｃ３…情報の記憶手段、
Ｃ７…記憶手段、
Ｃ８…温度の予測手段、
Ｃ１０…温度の判別手段、
Ｃ１３…計数手段、
Ｃ１６…動作の制御手段、
Ｆ…熱源部材、
Ｎｂ…待機した回数、
Ｎｊ２…上限の回数、
Ｓ…媒体、
Ｔ１…内部の温度、
Ｔ２…予測された温度、
Ｔａ…上限温度、
Ｕ…画像形成装置、
Ｕ１…記録部。
【図１】
2014102329.tif 000003
【図２】
2014102329.tif 000004
【図３】
2014102329.tif 000005
【図４】
2014102329.tif 000006
【図５】
2014102329.tif 000007